【事件の表示】
　平成１１年特許願第２０９０１４号「カラーフィルタ用画素の形成に用いられる感放射線性組成物およびカラーフィルタ」拒絶査定不服審判事件〔平成１３年　２月　９日出願公開、特開２００１−　３３６２０〕について、次のとおり審決する。
【結　論】
　本件審判の請求は、成り立たない。
【理　由】
１．手続の経緯及び本願発明
　本願は、平成１１年７月２３日の出願であって、その特許請求の範囲の請求項１乃び２に係る発明は、平成１６年１１月２５日付けの手続補正書により補正された明細書の記載からみて、その請求項１乃び２に記載されたとおりのものと認められるところ、その請求項１に記載された発明（以下、「本願発明」という。）は次のとおりのものである。
　「（Ａ）着色剤、（Ｂ）（ｂ１）アクリル酸および／またはメタクリル酸を必須とし、場合により、こはく酸モノ（２−アクリロイロキシエチル）および／またはこはく酸モノ（２−メタクリロイロキシエチル）をさらに含有するカルボキシル基含有不飽和単量体成分と、（ｂ２）スチレン、メチルアクリレート、メチルメタクリレート、２−ヒドロキシエチルアクリレート、２−ヒドロキシエチルメタクリレート、アリルアクリレート、アリルメタクリレート、ベンジルアクリレート、ベンジルメタクリレート、Ｎ−フェニルマレイミド、ポリスチレンマクロモノマーおよびポリメチルメタクリレートマクロモノマーの群から選ばれる少なくとも１種との共重合体からなるアルカリ可溶性樹脂、（Ｃ）多官能性単量体、（Ｄ）下記式（１）で表される化合物および下記式（２）で表される化合物を必須成分とする光ラジカル発生剤、並びに（Ｅ）分子量が１，０００以下である、脂肪族カルボン酸あるいはフェニル基含有カルボン酸からなる有機酸を含有することを特徴とするカラーフィルタ用画素の形成に用いられる感放射線性組成物。
【化１】
　　
〔式（１）において、Ｒ１およびＲ２は相互に独立に炭素数１〜６のアルキル基を示す。〕
【化２】
　　
〔式（２）において、Ｒ３、Ｒ４、Ｒ５およびＲ６は相互に独立に炭素数１〜６のアルキル基を示す。〕」
　
２．引用例
　これに対して、原査定の拒絶理由に引用された特開平８−１７９１１１号公報（以下、「引用例１」という。）、及び同じく特開平９−１６６８６９号公報（以下、「引用例２」という。）にはそれぞれ、次の発明が記載されている。
　引用例１；
　コントラスト比が高くかつ諸耐性に優れた（【０００８】）、透明樹脂に着色剤を分散してなるカラーフィルタ製造用着色組成物（【請求項１】）に関するもので、　
ア．【００１９】欄に、「着色レジスト材は一般に熱硬化性樹脂，熱可塑性樹脂または感光性樹脂とモノマー，光開始剤を配合した組成物中に顔料を分散してなっている。」旨の記載。
　　
イ．【００２０】欄に、「上記着色レジスト材に用いることができるモノマー，オリゴマーとしては，・・・、ポリエチレングリコールジ（メタ）アクリレート，ペンタエリスリトールトリ（メタ）アクリレート，スチレン，酢酸ビニル，各種アクリル酸エステル，各種メタクリル酸エステル，アクリロニトリル，ジペンタエリスリトールヘキサ（メタ）アクリレート，トリシクロデカニル（メタ）アクリレート，ジペンタエリスリトールヘキサ（メタ）アクリレートのカプロラクトン付加物のヘキサ（メタ）アクリレート，・・・等が挙げられる。」の記載。
　
ウ．【００２２】欄に、「光開始剤は単独あるいは２種以上混合して用いる」旨及び「増感剤として、４，４’−ジエチルアミノベンゾフェノン等の化合物も用いることができる。」旨の記載。
　
エ．「実施例」の項中、【００２７】欄〜【００２９】欄に下記の記載。
「処理顔料を分散するための樹脂溶液の製造例を下記に示す。
（樹脂溶液製造例ａ）
　反応容器にシクロヘキサノン８００部を入れ，１００℃に加熱し，　同温度で下記モノマーおよび熱重合開始剤の混合物を１時間かけて滴下し重合を行った。
スチレン　　　　　　　　　　６０．０部
メタクリル酸　　　　　　　　６０．０部
メタクリル酸メチル　　　　　６５．０部
メタクリル酸ブチル　　　　　６５．０部
アゾビスイソブチロニトリル　１０．０部
　滴下後さらに１００℃にて３時間反応させた後，アゾビスイソブチロニトリル２．０部をシクロヘキサノン５０部で溶解させたものを添加し，さらに１時間反応を続け樹脂溶液を合成した。
　樹脂溶液の一部をサンプリングして１８０℃，２０分加熱乾燥して不揮発分を測定し，先に合成した樹脂溶液に不揮発分が２０％となるようにシクロヘキサノンを添加して樹脂溶液ａを調製した。」
　
オ．【００４６】欄及び【００４７】欄に、
「【実施例１０】
　上記実施例で得られたインキを用いて，下記３種のアルカリ現像型着色レジストを作製した。
（赤色レジストの作製）
実施例１で得られたインキ　　　　　　　　　１４．０部
実施例６で得られたインキ　　　　　　　　　３２．８部
樹脂溶液ａ　　　　　　　　　　　　　　　　　７．８部
ＮＫエステルＡＴＭＰＴ（新中村化学社製）　　３．９部
イルガキュア９０７（チバガイギー社製）　　　０．４部
ＥＡＢ−Ｆ（保土ヶ谷化学社製）　　　　　　　０．７部
アノン　　　　　　　　　　　　　　　　　　３４．５部
を，容器中で充分攪拌し１μｍのフィルタで濾過して赤色レジストを作製した。
　・・・・・・・・・
　・・・・・・・・・
　次に，それぞれの着色レジストを１ｍｍ厚のガラス基板上に，乾燥膜厚が１．８μｍとなるようにスピンコーターで塗布し，７０℃で１０分乾燥した。更に，乾燥塗膜の上にポリビニルアルコール（国産化学社製：分子量約５００）の５％水溶液を乾燥膜厚が１μｍ　となるように塗布し，７０℃で２０分乾燥した。次に，５０μｍ　のラインアンドスペースのストライプパターンを有するマスクを介して紫外線露光（積算光量：４０ｍＪ）した後，２％炭酸ナトリウム水溶液に５０秒間ディップし，水洗し，２００℃，３０分加熱して，それぞれ線幅精度が±１μｍ以下の良好なパターンを再現した。」の記載。
　また、【実施例１０】には、緑色及び青色レジストの作製に関して、赤色レジストと類似の組成の記載。
　
　したがって、引用例１の、特に実施例１０には、「インキ、樹脂ａ（スチレン６０．０部、メタクリル酸６０．０部、メタクリル酸メチル６５．０部、メタクリル酸ブチル６５．０部、アゾビスイソブチロニトリル１２．０部からなる）、ＮＫエステルＡＴＭＰＴ（新中村化学社製）、イルガキュア９０７（チバガイギー社製）、ＥＡＢ−Ｆ（保土ヶ谷化学社製）を含有する、カラーフィルタ製造用アルカリ現像型感紫外線性着色レジスト。」（以下、「引用発明」という。）が記載されているといえる。
　
　引用例２；
　カラーフィルタなどの遮光膜形成用感光性樹脂組成物（【０００２】〜【０００５】）に関するもので、
ア．【特許請求の範囲】の【請求項１】に、「（ａ）高分子バインダー、（ｂ）光重合性モノマー、（ｃ）光重合開始剤および（ｄ）遮光性顔料を含有する遮光膜形成用感光性樹脂組成物において、前記（ｄ）遮光性顔料が樹脂被覆されたカーボンブラックであることを特徴とする遮光膜形成用感光性樹脂組成物。」の記載。
　
イ．【００１２】欄に、「（ｃ）光重合開始剤として、・・・、２−メチル−１−〔４−（メチルチオ）フェニル〕−２−モルフォリノプロパン−１−オン、・・・、４，４’−ビスジエチルアミノベンゾフェノン、・・・、９−フェニルアクリジン、・・・などを挙げることができる。」旨の記載。
　
ウ．【００４８】欄〜【００５０】欄に、
「【実施例】
　実施例１
　下記に示される遮光膜形成用感光性樹脂組成物、
・メタクリル酸／メタクリル酸メチル共重合体（２５／７５重量％比、重量平均分子量約２００００）　３０重量部
・ビスフェノールＡ型エポキシアクリレート樹脂（重量平均分子量約３０００）　　２０重量部
・トリメチロールプロパントリアクリレート　２０重量部
・２−メチル−１−〔４−（メチルチオ）フェニル〕−２−モルホリノプロパン−１−オン（チバガイギー社製：ＩＲＧＡＣＵＲＥ　９０７）　９重量部
・９−フェニルアクリジン　　５重量部
・４，４’−ビスジエチルアミノベンゾフェノン　　４重量部
・樹脂被覆カーボンブラック（御国色素社製ＥＸ−１４５５−９０、カーボンブラック：被覆樹脂重量比１０：１．１）　４０重量部
・ファストゲンブルー　ＧＳ（大日本インキ化学社製）５重量部
・３−メトキシブチルアセテート　　１５０重量部
を３本ロールミルを用いて２時間分散、混練した。
　・・・・・・・・・・
　・・・・・・・・・・
　次に上記調製した遮光膜形成用感光性樹脂組成物を乾燥膜厚１μｍとなるように塗布し、乾燥して得た０．７ｍｍのガラス基板上に２０μｍライン／８０μｍスペースを再現するようなマスクを介して１０００ｍＪ／ｃｍ２の紫外線を照射し露光したのち２５０℃、３０分間ポストベークした。露光基板を炭酸ナトリウム０．５％水溶液で２５℃、６０秒間スプレー現像した。露光部にはカケ、ハガレ等みられず未露光部にも残渣のない良好なブラックマトリックスパターンが得られた。これを用いて液晶パネルを作製したが、電流のリークがなく、均一な表示画像が再現できた。」
の記載。
　
３．対比
　本願発明と引用例１の、特に実施例１０に記載された発明（引用発明）とを対比する。
　
　引用発明の「インキ」、「カラーフィルタ製造用アルカリ現像型感紫外線性着色レジスト」はそれぞれ、本願発明の「着色剤」、「カラーフィルタ用画素の形成に用いられる感放射線性組成物」に相当する。
　
　引用発明の「樹脂ａ（スチレン６０．０部、メタクリル酸６０．０部、メタクリル酸メチル６５．０部、メタクリル酸ブチル６５．０部、アゾビスイソブチロニトリル１２．０部からなる）」は、本願発明との対比において「（ｂ１）メタクリル酸を必須とするカルボキシル基含有不飽和単量体成分と、（ｂ２）スチレン、メチルメタクリレートとを含む共重合体からなるアルカリ可溶性樹脂」に相当することは、明らかである。
　
　引用発明の「ＮＫエステルＡＴＭＰＴ（新中村化学社製）」は、「多官能性単量体」に相当することは、明らかである。（特開平６−２３０２１２号公報の【００１３】欄、特開平７−２６１３８９号公報の【００２７】欄の記載参照。）
　
　引用発明の「イルガキュア９０７（チバガイギー社製）」は、引用例２の「実施例１」及び【００１２】欄の記載から判断して、「２−メチル−１−〔４−（メチルチオ）フェニル〕−２−モルホリノプロパン−１−オンからなる光ラジカル発生剤」であり、本願発明の「式（１）で表される化合物からなる光ラジカル発生剤」のうちの１化合物であることは、明らかである。
　
　なお、引用発明の「ＥＡＢ−Ｆ（保土ヶ谷化学社製）」については、その化合物について記載される原査定の拒絶理由に引用された特開２０００−２９２６１５号公報の【００５１】欄、【００５２】欄の記載と同じく特開平９−３２５４９３号公報の【００４５】欄の記載とは一致しない。しかし、特開平９−３２５４９４号公報の【００７１】欄の記載も参照すると、引用発明の「ＥＡＢ−Ｆ（保土ヶ谷化学社製）」が、本願発明の式（２）で表される化合物であると認定できる蓋然性も高いが、念のため、引用発明の「ＥＡＢ−Ｆ（保土ヶ谷化学社製）」は、いかなる構造を有する化合物であるのか明確でなく、また、いかなる目的のために用いるものか明確でないと認定しておく。
　
　よって、両者は、「（Ａ）着色剤、（Ｂ）（ｂ１）メタクリル酸を必須とするカルボキシル基含有不飽和単量体成分と、（ｂ２）スチレン及びメチルメタクリレートとを含む共重合体からなるアルカリ可溶性樹脂、（Ｃ）多官能性単量体、（Ｄ）式（１）で表される化合物を必須成分とする光ラジカル発生剤、を含有することを特徴とするカラーフィルタ用画素の形成に用いられる感放射線性組成物。」である点で一致し、以下の各点で相違する。
　
相違点（１）
　共重合体（Ｂ）の（ｂ２）成分が、本願発明は、スチレン及びメチルメタクリレートからなるか、或いはスチレン及びメチルメタクリレート以外にメチルアクリレート、２−ヒドロキシエチルアクリレート、２−ヒドロキシエチルメタクリレート、アリルアクリレート、アリルメタクリレート、ベンジルアクリレート、ベンジルメタクリレート、Ｎ−フェニルマレイミド、ポリスチレンマクロモノマーおよびポリメチルメタクリレートマクロモノマーの群から選ばれる少なくとも１種からなるのに対して、引用発明は、スチレン、メチルメタクリレート以外にブチルメタクリレートからなる点。
　
相違点（２）
　光ラジカル発生剤（Ｄ）が、本願発明は、式（１）で表される化合物と共に式（２）で表される化合物を必須成分とするのに対して、引用発明は、前記式（２）で表される化合物を必須成分とするのかどうか不明である点。
　
相違点（３）
　本願発明は、分子量が１，０００以下である、脂肪族カルボン酸あるいはフェニル基含有カルボン酸からなる有機酸（Ｅ）を含有するのに対して、引用発明は、そのような有機カルボン酸（Ｅ）を含有するものではない点。
　
４．当審の判断
　前記相違点（１）乃至（４）について検討する。
相違点（１）について
　共重合体（Ｂ）の（ｂ２）成分として、スチレン及びメチルメタクリレートからなるか、或いはスチレン及びメチルメタクリレート以外にメチルアクリレート、２−ヒドロキシエチルアクリレート、２−ヒドロキシエチルメタクリレート、アリルアクリレート、アリルメタクリレート、ベンジルアクリレート、ベンジルメタクリレート、Ｎ−フェニルマレイミド、ポリスチレンマクロモノマーおよびポリメチルメタクリレートマクロモノマーの群から選ばれる少なくとも１種からなるものとすることは、当業者が容易になし得ることであり、また、引用発明の（ｂ２）成分を上記の成分に換えたことによる効果の差異も、格別の差異とは認められない。
　
相違点（２）について
　引用例２の、特に実施例１に示されるように、（ａ）アルカリ可溶性高分子バインダー、（ｂ）光重合性モノマー、（ｃ）光重合開始剤および（ｄ）遮光性顔料を含有するカラーフィルタなどの遮光膜形成用感光性樹脂組成物において、光重合開始剤として、本願発明の式（１）で表される化合物及び式（２）で表される化合物を必須成分とするものを使用することは、知られたことである。
　そして、（ａ）アルカリ可溶性高分子バインダー、（ｂ）光重合性モノマー、（ｃ）光重合開始剤および（ｄ）着色剤を含有する感光性樹脂組成物である点で引用発明と引用例２の発明とは共通するし、しかも、引用例１の【００２２】欄には「光開始剤は単独あるいは２種以上混合して用いる」旨記載されているのであるから、引用発明の光ラジカル発生剤（光重合開始剤）として、本願発明の式（１）で表される化合物を単独で用いることに換えて、本願発明の式（１）及び式（２）で表される化合物２種を用いることは、引用例２の記載事項を基に当業者が容易になし得ることである。
　もっとも、引用例２の感光性樹脂組成物は、着色剤として遮光性顔料を用いる遮光膜形成用の樹脂組成物に関するもので、引用発明のように画素形成に用いられるものではないが、引用発明と引用例２の発明とは、カラーフィルタ用である点で一致するし、また、パターン形成に用いられる点でも技術的に共通するのであるから、引用発明に引用例２の発明を適用することの困難性はない。
　
相違点（３）について
　顔料、バインダーポリマー、感放射線化合物、溶剤を含有するカラーフィルター用感放射線性組成物中に、分子量が１，０００以下である、脂肪族カルボン酸あるいはフェニル基含有カルボン酸からなる有機カルボン酸を含有させる技術は、本件審判請求人も知るように周知の技術である。（必要ならば、特開平５−３４３６３１号公報参照。）
　したがって、引用発明の感放射線性組成物中に、分子量が１，０００以下である、脂肪族カルボン酸あるいはフェニル基含有カルボン酸からなる有機カルボン酸を含有させることに、格別の困難性はない。
　
　そして、本願発明の作用・効果も、引用発明及び引用例２に記載された発明、及び周知の技術事項から予測される範囲内のもので、格別のものではない。
　特に、引用例２の【００５０】欄には「露光部にはカケ、ハガレ等みられず未露光部にも残渣のない良好なブラックマトリックスパターンが得られた。」と記載され、本願発明の作用・効果と同様な記載がある。
　
５．むすび
　以上のとおり、本願発明は、引用例１に記載された発明と引用例２に記載された発明と前記周知技術とに基づいて当業者が容易に発明をすることができたものであるから、特許法第２９条第２項の規定により特許を受けることができない。
　よって、結論のとおり審決する。